(57)【要約】【課題】簡易構成でありながら、定着部の動作情報から予測して定着ローラと加圧ローラとの圧接力を維持する。【解決手段】画像形成装置１００は、定着ローラ４１と加圧ローラ４４との軸間距離を変更する機構部（８１，８２，８４，８５）と、定着部４０の積算的な動作状況情報であるライフ情報を取得するライフ情報取得部９２と、定着ローラ４１と加圧ローラ４４との圧接力が一定に維持されるときの、ライフ情報と軸間距離との関係を記憶したライフ／調整量テーブルメモリ９０２と、取得したライフ情報に対応する軸間距離となるよう偏心カム８５を駆動する軸間距離調整モータ１１０とを備えている。【選択図】図４
2017096992.tif 000002
【特許請求の範囲】
【請求項１】
トナー像が転写された用紙を定着ローラと加圧ローラとの圧接位置を通過させながら前記トナー像を用紙に加熱定着する定着部を備えた画像形成装置において、
前記定着ローラと前記加圧ローラとの軸間距離を変更する機構部と、
前記定着部の動作情報を取得する動作情報取得部と、
前記定着ローラと前記加圧ローラとの圧接力が一定に維持されるときの、前記動作情報と軸間距離との関係を記憶した記憶部と、
取得した前記動作情報に対応する前記軸間距離となるように前記機構部を駆動する調整駆動部とを備えた画像形成装置。
【請求項２】
前記定着ローラは、周面にスポンジ層が設けられたものである請求項１に記載の画像形成装置。
【請求項３】
前記機構部は、前記定着ローラを軸支する側板と前記加圧ローラを軸支する側板の一方を前記軸間距離の増減方向に移動可能にする移動機構部と、前記両側板間に介設された付勢部材と、前記移動機構部の一部に当接し、回転量に応じて前記軸間距離を変更する偏心カムとを備え、
前記調整駆動部は、前記偏心カムの回動軸に連結されるモータであることを特徴とする請求項１又は２に記載の画像形成装置。
【請求項４】
前記移動機構部は、前記両側板の一方の側板に設けられた揺動軸であることを特徴とする請求項１〜３のいずれかに記載の画像形成装置。
【請求項５】
前記動作情報は、前記定着ローラの回転数の積算値及び定着部を通過する用紙枚数の積算値の少なくとも一方の情報であることを特徴とする請求項１〜４のいずれかに記載の画像形成装置。
【請求項６】
前記調整駆動部は、前記定着部の動作が休止している間は、前記圧接力が小さくなる初期位置に戻すことを特徴とする請求項１〜５のいずれかに記載の画像形成装置。
【発明の詳細な説明】
【技術分野】
【０００１】
本発明は、トナー像を用紙に加熱定着する定着部を備えた画像形成装置に関する。
【背景技術】
【０００２】
画像形成装置の定着部は、一般的に定着ローラと加圧ローラとが直接、あるいは定着ベルトを挟んで圧接状態で対向配置され、圧接位置に搬入される用紙に所定の圧接力を付与した状態で加熱することで、用紙に転写されているトナーを溶融すると共に、溶融されたトナーを紙面に定着させる。従って、定着性能は、定着温度の他、所定の圧接力を維持することが重要となる。この圧接力は、加圧ローラを定着ローラ側に付勢する部材を用いて行われている。
【０００３】
ところで、定着ローラは高温下での圧接使用によって表層部が圧縮され外径が変動することから、圧接力を外径変動に合わせて調整する必要がある。特許文献１には、定着ベルトを介して定着ローラと対向する位置に、定着ローラとの対向距離を検知する検知手段を設け、定着ローラの外径の変動を検知して、偏心カムの回転位置を調整する構成が記載されている。
【先行技術文献】
【特許文献】
【０００４】
【特許文献１】特開２０１０−２０４２２２号公報
【発明の概要】
【発明が解決しようとする課題】
【０００５】
ところで、例えば所定の圧接力を生成するものとして定着ローラの周面に、断熱材であるスポンジを周設したものが多用されているが、定着熱の付与や圧接回転が繰り返されることによって、スポンジを構成する発泡セルの破砕が進行し、密度が低下し、硬度が漸次低下して用紙との面圧が低下するという現象がある。面圧が低下すると、定着の強さなどを示す定着性能が低下することから、印刷された画像の画質が低下する。そして、硬度が変化する結果、単純に外径変化に応じて加圧ローラ位置を調整しても、同一の圧接力が得られない。特許文献１の構成は、定着ベルトを介しての外径検知であり、外径寸法の変動に応じてカムの回転位置を調整するにすぎないものであるため、経時方向における硬度の変化が考慮されておらず、その結果、圧接力を維持することは困難である。
【０００６】
本発明は、上記に鑑みてなされたもので、定着ローラの硬度変化を定着部の動作情報から予測して定着ローラと加圧ローラとの軸間距離を調整することで、簡易構成で圧接力を維持することができる画像形成装置を提供するものである。
【課題を解決するための手段】
【０００７】
本発明に係る画像形成装置は、トナー像が転写された用紙を定着ローラと加圧ローラとの圧接位置を通過させながら前記トナー像を用紙に加熱定着する定着部を備えた画像形成装置において、前記定着ローラと前記加圧ローラとの軸間距離を変更する機構部と、前記定着部の動作情報を取得する動作情報取得部と、前記定着ローラと前記加圧ローラとの圧接力が一定に維持されるときの、前記動作情報と軸間距離との関係を記憶した記憶部と、取得した前記動作情報に対応する前記軸間距離となるように前記機構部を駆動する調整駆動部とを備えたものである。
【０００８】
本発明によれば、取得した動作情報に対応した軸間距離が調整駆動部に設定される。従って、定着ローラと加圧ローラ間の圧接力が一定に維持されるように軸間距離の調整が行われる。
【０００９】
また、前記定着ローラは、周面にスポンジ層が設けられたものである。この構成によれば、加熱圧接状態によってスポンジを構成する発泡セルの破砕の進行に対する硬度変化に対応して定着ローラと加圧ローラとの圧接力を一定に維持することが可能となる。
【００１０】
また、前記機構部は、前記定着ローラを軸支する側板と前記加圧ローラを軸支する側板の一方を前記軸間距離の増減方向に移動可能にする移動機構部と、前記両側板間に介設された付勢部材と、前記移動機構部の一部に当接し、回転量に応じて前記軸間距離を変更する偏心カムとを備え、前記調整駆動部は、前記偏心カムの回動軸に連結されるモータであることを特徴とする。この構成によれば、付勢部材を介して定着ローラと加圧ローラとの圧接力が調整されるので、紙厚の異なる用紙が使用される場合でも、付勢力によって紙厚の差が吸収される。
【００１１】
また、前記移動機構部として、前記両側板の一方の側板に設けられた揺動軸を採用すると、構成が簡易となる。
【００１２】
また、前記動作情報は、前記定着ローラの回転数の積算値及び定着部を通過する用紙枚数の積算値の少なくとも一方の情報であることを特徴とする。この構成によれば、定着ローラの積算的な動作状況を精度良く得ることが可能となる。
【００１３】
また、前記調整駆動部は、前記定着部の動作が休止している間は、前記圧接力が小さくなる初期位置に戻すことを特徴とする。この構成によれば、定着ローラに対するストレスが低減される。
【発明の効果】
【００１４】
本発明によれば、簡易構成でありながら、定着部の動作情報から予測して定着ローラと加圧ローラとの圧接力を維持することができる。
【図面の簡単な説明】
【００１５】
【図１】画像形成装置の概略構成を示す側面図である。
【図２】画像形成装置のうち、主に定着が関連する部分のブロック図である。
【図３】定着ローラと加圧ローラとの圧接力が一定に維持される、定着通紙枚数と軸間距離調整量との関係を示す図で、ライフ／調整量テーブルメモリの内容である。
【図４】軸間距離調整部の第１実施形態の概略を示す側面断面図である。
【図５】軸間距離調整部の第２実施形態の概略を示す側面断面図である。
【図６】軸間距離調整部の第３実施形態の概略を示す側面断面図である。
【発明を実施するための形態】
【００１６】
図１に示すように、画像形成装置１００は、画像形成部１０、中間転写部２０、二次転写部３０、定着部４０、給紙部５０、用紙搬送路６０及び読取部７１を備えると共に、装置本体の上部に自動原稿搬送装置７２が搭載されている。画像形成装置１００は、読取部７１を介して読み取ったカラー又はモノクロ画像データあるいは図外の外部装置から入力されたカラー又はモノクロ画像データを用紙にカラー又は単色で印刷を行う。
【００１７】
画像形成部１０は、光ビーム走査ユニット１及びそれぞれ同様な構造を有する各色の画像形成部１０Ａ〜１０Ｄを備えている。光ビーム走査ユニット１は、半導体レーザを備え、読取部７１で読み取られた、カラー原稿に対応するＲ、Ｇ、Ｂ色の各画素の画像データをブラック（Ｋ）、シアン（Ｃ）、マゼンタ（Ｍ）、イエロー（Ｙ）の濃度データに変換し、変換後の各濃度データに対応したデューティ比で変調されたレーザ光で画像形成部１０Ａ〜１０Ｄの感光体ドラム２Ａ〜２Ｄの表面を軸方向（主走査方向）に沿って露光走査して、それぞれの静電潜像を形成する。代表して説明する画像形成部１０Ａは、像担持体としての感光体ドラム２Ａを備え、その周囲に回転方向（副走査方向）に沿って帯電器３Ａ、現像器４Ａ及びクリーナ部５Ａを備えている。
【００１８】
中間転写部２０は、中間転写ベルト２１、駆動ローラ２２、従動ローラ２３、一次転写ローラ２４Ａ〜２４Ｄを備えて、感光体ドラム２Ａ〜２Ｄの周面に形成されたトナー像（現像剤像）を、像担持体としての中間転写ベルト２１の表面に一次転写する。二次転写部３０は、中間転写ベルト２１の表面のトナー像を用紙に二次転写する。
【００１９】
定着部４０は、用紙に転写されたトナー像を加熱溶融して定着し、排紙トレイに排出する。定着部４０のより詳細な構成は、図４で説明する。給紙部５０は、給紙カセット５１や手差しトレイ５２を備えており、選択された用紙を、対応する給紙カセット等から用紙搬送路６０に給紙する。
【００２０】
定着部４０は、図４に示すように、定着ローラ４１、加熱源であるランプヒータ４２１を内蔵する加熱ローラ４２、及び両ローラ４１，４２間に張架された無端状の定着ベルト４３を有する。加圧ローラ４４は、定着ベルト４３を挟んで定着ローラ４１と対向配置されている。なお、加圧ローラ４４は、後述する軸間距離調整部８０（図４〜図６参照）によって定着ベルト４３を介して定着ローラ４１に圧接されている。
【００２１】
ローラ４１，４２の一方は、図略の定着モータによって回転駆動される。これによって、定着ベルト４３が周回駆動され、次いで加圧ローラ４４が従動回転される。
【００２２】
ここで、図４を用いて、定着部４０（主に定着ローラ４１〜加圧ローラ４４）の構造の一例について説明する。定着ローラ４１及び加熱ローラ４２は、軸方向両端で側板４０ａに軸支され、加圧ローラ４４は、軸方向両端で側板４０ｂに軸支されている。なお、側板４０ａ、４０ｂのより具体的な構造については後述する。
【００２３】
定着ローラ４１は、例えばステンレス等の合金からなる芯金４１１の周面に、弾性層として所定厚さ、例えば数ｍｍを有するスポンジ４１２が周設されている。スポンジ４１２は、例えばシリコンスポンジゴム等の合成樹脂に発泡材を練り込んで発泡形成したもので、内部に細かな孔が無数に空いた多孔質の柔らかい物質である。定着ローラ４１の周囲にスポンジ４１２を設けることで、断熱性を得ると共に、定着ベルト４３と加圧ローラ４４とを軸方向について所定かつ均一の圧接力で当接させる。なお、加圧ローラ４４は、公知のように、中心側から芯金、シリコンソリッドゴム等の弾性層、さらに離型層を有する。定着ベルト４３は、本実施形態ではシリコンゴム等の樹脂材が採用されている。
【００２４】
かかる構造において、トナーが転写された用紙Ｐａが下方（搬送方向上流側）から搬送されてくると、用紙Ｐａは、定着モータによって回転している定着ベルト４３と加圧ローラ４４との間で所定の圧接力で挟持されながら上方（搬送方向下流側）へ送られる。この間、トナーは、定着ベルト４３を介してランプヒータからの定着熱を受けて溶融され、所定の圧接力によって用紙Ｐａ上に定着される。
【００２５】
図２は、主に定着に関連する構成部分を示すブロック図で、画像形成装置１００は、例えばマイクロコンピュタで構成された制御部９０を備えている。制御部９０は、作業者からの入力操作、例えば印刷指令を受け付けるタッチパネル等で構成された操作部１０１、定着ローラ回転センサ４０１及び用紙センサ４０２と接続されている。制御部９０は、さらに軸間距離調整モータ１１０、及び後述するライフ／調整量テーブルメモリ９０２や制御プログラムを記憶するメモリエリアとデータ処理を実行するワークエリアとを備えた記憶部９０１と接続されている。
【００２６】
定着ローラ回転センサ４０１は、定着ローラの１回転を検出するもので、例えば回転軸に取付けられた公知のロータリエンコーダ等を利用したものである。用紙センサ４０２は、用紙搬送路６０中の定着部４０の箇所に配置された光学式センサあるいは機械式スイッチを利用したもので、定着部４０を通過する用紙を１枚毎に検出する。
【００２７】
制御部９０は、制御プログラムを実行することで、画像形成処理部９１、ライフ情報取得部９２及び軸間距離調整処理部９３として機能する。ライフ情報取得部９２は、定着部４０の動作情報を取得するものである。なお、動作情報とは定着ローラ４１の回転数や定着部４０を通過する用紙枚数などのライフ情報をいう。軸間距離調整処理部９３は定着ローラ４１と加圧ローラ４４との軸間距離を、すなわち圧接力を一定に維持するように調整するものである。そして、軸間距離調整モータ１１０は、定着部４０のライフ情報、例えば積算的な稼働状況から前記軸間距離を調整する。
【００２８】
画像形成処理部９１は、操作部１０１からの印刷指令を受け付けることで画像形成部１０、中間転写部２０、二次転写部３０、定着部４０、給紙部５０、用紙搬送路６０及び読取部７１の各部の動作を制御する。印刷処理終了後から次の印刷指令が入力されるまでの休止期間では、各部は休止状態となる。
【００２９】
ライフ情報取得部９２は、本実施形態では、定着ローラ回転数積算部９２１と定着通紙枚数積算部９２２とを備えている。定着ローラ回転数積算部９２１は、画像形成装置１００の設置後の稼働開始からの定着ローラ４１の回転数を累積的に取得し、記憶部９０１に更新的に記憶するものである。定着ローラ回転数積算部９２１は、定着ローラ回転センサ４０１で検出した回転信号から定着ローラ４１の積算回転数を取得する。なお、定着ローラ回転数積算部９２１は、定着ローラ４１を回転駆動させる定着モータへ出力される回転駆動信号を利用して、例えば回転駆動用パルスをカウントし、定着ローラ４１の回転数に置換して積算するようにしてもよい。
【００３０】
定着通紙枚数積算部９２２は、用紙センサ４０２によって検出された信号を受けて定着部４０を通過した用紙の積算値を算出するものである。なお、定着通紙枚数積算部９２２は、単純に印刷ジョブ実行時の給紙枚数をカウントする態様でもよい。
【００３１】
図３は、定着ローラ４１と加圧ローラ４４との圧接力が一定に維持される、定着部の稼働状況と軸間距離との関係を示している。定着部４０の稼働状況の情報としては、定着ローラ４１の回転数の積算値や定着通紙枚数の積算値の少なくとも一方の情報が用いられる。なお、回転数の積算値と定着通紙枚数の積算値とは、高い相関を有することから、一方のみの情報を適用し、あるいは前記相関性に基づき両方を加味して適用するものでもよい。
【００３２】
定着ローラ４１は、回転数の増大に応じて硬度が漸次低下する。これは定着ローラ４１の周面に周設されたスポンジ４１２が対向する加圧ローラ４４で圧接変形されながら回転駆動されることで、スポンジ４１２を構成する発泡セルの破砕が進行して硬度が漸次低下することによる。
【００３３】
スポンジ４１２の硬度は、稼働状況が初期の段階、例えば定着通紙枚数が１０Ｋ（１万枚）前後までは低下勾配が強く、その後、圧接力を受け続けることで外径が縮小していって硬度が上昇し、飽和に近づく結果、漸近的に安定する傾向を示す。従って、図３において、軸間距離も、初期の段階では、定着通紙枚数の増加に応じて、初期値（初期軸間距離）から大きく減少していく一方、途中から減少度合いが低下し、その後、一定に安定している。
【００３４】
ライフ／調整量テーブルメモリ９０２には、図３の図表の形式で、すなわち所定の定着通紙枚数毎の調整量を記憶する態様でもよいし、あるいは試験、実験又は経験等から得た積算回転数と定着通紙枚数との関係に基づいて予め回帰直線（曲線）式を作成して記憶するようにしてもよい。ここに、調整量とは、初期値からの変化分としてもよいし、軸間距離値そのものとして扱ってもよい。そして、印刷指令が入力される毎に、テーブルから、あるいは回帰式を利用して軸間距離を求め、軸間距離調整モータ１１０に出力するようにすればよい。あるいは、定着通紙枚数が所定枚数に達する毎に、あるいは所定枚数増加する毎に、テーブルから、あるいは回帰式を利用して軸間距離を求めて軸間距離調整モータ１１０に出力するようにしてもよい。ライフ／調整量テーブルメモリ９０２を採用することで、定着ローラ４１の外径変動を検知する手段を省略することができ、その分、構成が簡素となる。
【００３５】
次に、図４に示す第１実施形態に係る軸間距離調整部８０は、加圧ローラ４４を付勢部材の付勢力を利用して移動させて、定着ローラ４１との軸間距離を調整することで圧接力を維持させるものである。
【００３６】
軸間距離調整部８０は、定着ローラ４１を支持する側板４０ａと加圧ローラ４４を支持する側板４０ｂ、及びその間に設けられ、側板４０ｂを支持する、下部側適所の揺動軸８１周りに側板４０ｂを回動させることで軸間距離を増減方向に調整する。軸間距離調整部８０は、側板４０ａと側板４０ｂ間に介設される付勢部材としてのスプリング８２を備え、その両端が側板４０ａ、４０ｂの上部側適所の係止部８３ａ，８３ｂに係止されている。係止部８３ａは、揺動アーム８４の先端部に取付けられており、揺動アーム８４の基端部は、側板４０ａの揺動軸８４１に支持されている。揺動軸８４１は、揺動アーム８４をスプリング８２が伸縮する方向に揺動する。偏心カム８５は、係止部８３ａの右側面に当接する位置となるように回動軸８５１を介して軸間距離調整モータ１１０の出力軸に連結されている。軸間距離調整モータ１１０は側板４０ａに取付けられている。
【００３７】
この構成により、偏心カム８５は、係止部８３ａをスプリング８２の付勢力に抗して、図４の例では反時計回り方向に押圧している。偏心カム８５の回転位置によってスプリング８２の伸縮が変化し、側板４０ｂが揺動軸８１周りに回動して、圧接力が維持されるように軸間距離が調整される。
【００３８】
偏心カム８５の回転位置の制御は、予め軸心距離と回転位置情報（軸間距離調整モータ１１０の回転量）とを関連付けて記憶部９０１に格納しておくことで制御できる。ライフ／調整量テーブルメモリ９０２に、ライフと回転位置情報（軸間距離調整モータ１１０の回転量）とを関連付けて記憶する態様としてもよい。なお、軸間距離調整モータ１１０の回転制御は、単にモータ駆動用パルス信号を計数し、あるいは公知のロータリエンコーダ等を利用して回転量検知を行うことで可能である。
【００３９】
次に、図５に示す第２実施形態に係る軸間距離調整部１８０は、加圧ローラ４４を、付勢部材の付勢力を利用して移動させて、定着ローラ４１との軸間距離を調整することで圧接力を維持させるものである。以下、主に図４と相違する点について説明する。
【００４０】
軸間距離調整部１８０は、揺動軸１８１周りに側板４０ｂを回動させることで軸間距離を増減方向に調整する。軸間距離調整部１８０は、スプリング１８２を備え、その両端が側板４０ａ、４０ｂの係止部１８３ａ，１８３ｂに係止されている。係止部１８３ａは、板状のスライダ１８６の一端（図５では右端側）に取付けられている。スライダ１８６は、スプリング１８２の伸縮方向にスライド可能にされる。すなわち、スライダ１８６は、板状内の適所にスプリング１８２の伸縮方向に長尺の長孔１８６１が穿設されており、一方、側板４０ａの側面には、左右方向に離間した２本のピン１８７が立設されている。そして、長孔１８６１が２本のピン１８７に嵌合されることで、スライダ１８６が、左右方向にスライド可能となる。偏心カム１８５は、スライダ１８６の右端面に当接する位置となるように回動軸１８５１を介して軸間距離調整モータ１１０の出力軸に連結されている。軸間距離調整モータ１１０は側板４０ａに取付けられている。
【００４１】
この構成により、偏心カム１８５は、スライダ１８６をスプリング１８２の付勢力に抗して、図５の例では左方向に向けて押圧している。偏心カム１８５の回転位置によってスプリング１８２の伸縮が変化し、側板４０ｂが揺動軸１８１周りに回動して、圧接力が維持されるように軸間距離が調整される。偏心カム１８５の回転位置の制御は、図４における説明と同様である。スライド方式では、偏心カム１８５の回転位置とスライド量との関係が分かりやすい。また、図４及び図５のように、スプリング（付勢部材）を介して軸間距離を調整するようにしたので、通紙される用紙の紙厚の違いが吸収される。
【００４２】
次に、図６に示す第３実施形態に係る軸間距離調整部２８０は、加圧ローラ４４を機構的に移動させて、定着ローラ４１との軸間距離を調整することで圧接力を維持させるものである。以下、主に図４、図５と相違する点について説明する。
【００４３】
軸間距離調整部２８０は、側板４０ｂを挟んで側板４０ａの反対側（図６では右側）に側板２８０１を固設し、スプリング２８２は、側板４０ｂと側板２８０１との間に介設されている。スプリング２８２の両端は、係止部２８３ｂと係止部２８３ｃとに係止される。従って、スプリング２８２は、軸間距離を大きくする離反方向に側板４０ｂを付勢する。偏心カム２８５は、側板４０ｂの右端面に当接する位置となるように回動軸２８５１を介して軸間距離調整モータ１１０の出力軸に連結されている。軸間距離調整モータ１１０は側板２８０１に取付けられている。
【００４４】
この構成により、偏心カム２８５は、側板４０ｂをスプリング２８２の付勢力に抗して、図６の例では左方向に向けて押圧している。偏心カム２８５の回転位置によって側板４０ｂが揺動軸１８１周りに回動して、圧接力が維持されるように軸間距離が調整される。偏心カム１８５の回転位置の制御は、図４における説明と同様である。偏心カム２８５が直接、側板４０ｂの移動量、すなわち軸間距離を設定するので、構成が簡素となる。
【００４５】
なお、定着ローラ４１と加圧ローラ４４とは常時圧接状態としてもよいが、制御部９０は、待機中には、非圧接位置乃至は低圧接位置に復帰して圧接状態を緩和し（図４，図５では偏心カム８５，１８５を最小偏心位置で当接させて圧接力を弛緩し）、印刷ジョブを受付ける毎にライフの情報に応じた位置に調整設定する方がストレスを低減する上で好ましい。
【００４６】
前記実施形態では、定着ベルト４３を採用した定着部４０で説明したが、定着ベルトを用いない、定着ローラ４１と加圧ローラ４４とが直接圧接する態様にも適用可能である。この場合、両ローラ間に圧接力を付与する付勢部材は、定着ローラ４１側に設けてもよい。
【００４７】
前記実施形態では、側板４０ｂを揺動軸８１周りに揺動する機構としたが、これに代えて、側板４０ｂを側板４０ａに対して接離方向に移動可能とするスライドガイド機構を備えたものとしてもよい。
【００４８】
図４、図５に示す実施形態では、側板４０ｂの移動を側板４０ａとの間に介在させた付勢部材でおこなったが、例えば側板４０ａ，４０ｂ間に側板４０ｃを設け、側板４０ａに設置した軸間距離調整部８０の部材を側板４０ｃに持たせる構成としてもよい。この場合、定着ローラ４１側の構造を変更する必要がない。
【００４９】
また、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００５０】
１００  画像形成装置
４０  定着部
４１  定着ローラ
４１２  スポンジ
４４  加圧ローラ
８０  軸間距離調整部
８１  揺動軸（移動機構部）
８２  スプリング（付勢部材）
８５  偏心カム
９２  ライフ情報取得部（動作情報取得部）
９２１  定着ローラ回転数積算部
９２２  定着通紙枚数積算部
９３  軸間距離調整処理部
９０２  ライフ／調整量テーブルメモリ（記憶部）
１１０  軸間距離調整モータ（調整駆動部、モータ）
【図１】
2017096992.tif 000003
【図２】
2017096992.tif 000004
【図３】
2017096992.tif 000005
【図４】
2017096992.tif 000006
【図５】
2017096992.tif 000007
【図６】
2017096992.tif 000008